(57)【要約】【課題】  ガセット袋をガセット部で開封する際の内溶液の飛散を防止する。【解決手段】  樹脂フィルム製前後シート部１，２が重なり、前後シート部間にそれらの一辺に沿うように樹脂フィルム製のガセットシート部４が挿入され、一辺及び両側辺における前シート部とガセットシート部との間、後シート部とガセットシート部との間及び前シート部と後シート部との間が夫々ヒートシール部５,６，７，８，９，１０，１１，１２で接着される。ガセットシート部と前シート部は共にその延伸方向が上記一辺に沿って伸びるよう形成され、前シート部とガセットシート部とが重なった前ガセット部におけるヒートシール部５内に上記一辺に沿って線状に伸びる非ヒートシール部１９が形成され、ヒートシール部の内縁からヒートシール部と反対側に離れた箇所で上記一辺に沿って伸びる直線２０と非ヒートシール部との間が引き裂きジッパー部２１とされる。【選択図】  図５
2006264763.tif 000002
【特許請求の範囲】
【請求項１】
樹脂フィルム製の前後シート部が重なり、前後シート部間にそれらの一辺に沿うように樹脂フィルム製のガセットシート部が二つ折り状態で挿入され、少なくとも上記一辺及びこの一辺を挟む両側辺における前シート部とガセットシート部との間、後シート部とガセットシート部との間及び前シート部と後シート部との間が夫々ヒートシール部で接着されたガセット袋において、ガセットシート部と前シート部又は後シート部は共にその延伸方向が上記一辺に沿って伸びるように形成され、前シート部とガセットシート部とが重なった前ガセット部又は後シート部とガセットシート部とが重なった後ガセット部における上記一辺に沿うヒートシール部内に上記一辺に沿って線状に伸びる非ヒートシール部が形成され、ヒートシール部の内縁からヒートシール部と反対側に離れた箇所で上記一辺に沿って伸びる直線と上記非ヒートシール部との間が引き裂きジッパー部とされたことを特徴とするガセット袋。
【請求項２】
請求項１に記載のガセット袋において、上記非ヒートシール部及び上記直線が上記両側辺の一方又は双方と交差する箇所に切欠が形成されたことを特徴とするガセット袋。
【請求項３】
請求項１又は請求項２に記載のガセット袋において、前ガセット部又は後ガセット部の非ヒートシール部上におけるガセットシート部と前シート部又は後シート部とにミシン目が形成されたことを特徴とするガセット袋。
【請求項４】
請求項１乃至請求項３のいずれかに記載のガセット袋において、前後シート部の上記一辺を除く他の所望の辺に注出口部が取り付けられたことを特徴とするガセット袋。
【請求項５】
請求項１乃至請求項４のいずれかに記載のガセット袋において、前ガセット部が後ガセット部に接着されたことを特徴とするガセット袋。
【請求項６】
請求項１乃至請求項５のいずれかに記載のガセット袋において、引き裂きジッパー部が除去された後の前ガセット部又は後ガセット部を上記一辺に沿って伸びる折れ線上で折り曲げたときにこの折り曲げ状態を絡み合いにより保持する絡合片が前ガセット部と後ガセット部の上記両側辺上に形成されたことを特徴とするガセット袋。
【発明の詳細な説明】
【技術分野】
【０００１】
本発明は、流動食等の液体を充填するガセット袋に関する。
【背景技術】
【０００２】
従来、ガセット袋は、樹脂フィルム製の前後シート部が重ね合わされ、前後シート部間にそれらの一辺に沿うように二つ折りの樹脂フィルム製のガセットシート部が挿入された上で、前後シート部の上記一辺及びこの一辺を挟む両側辺における前シート部と後シート部との間、前シート部とガセットシート部との間及び後シート部とガセットシート部との間が夫々ヒートシール部で接合されることにより形成される。また、前シート部とガセットシート部とが重なった前ガセット部におけるヒートシール部の内縁からヒートシール部と反対側にやや離れた箇所で上記一辺に沿って伸びる直線が上記両側辺と交差する箇所に、切欠が形成される（例えば、特許文献１参照。）。
【０００３】
このガセット袋は例えば流動食等の液体が充填された後密封され、レトルト殺菌処理される。この液体である内容物を袋外に注出する際、前ガセット部における左右の切欠間を一本の直線上で引き裂いて上記一辺に沿ったヒートシール部を除去することによりガセット袋を開封する。そして、開封口から水を注入して中味の液体を希釈した上で、ガセット袋の注出口部からチューブ等を用いて液体を注出し、患者の体内へ供給する。或いは、中味の液体を袋外に注出し患者に与えた後に、上述したごとくヒートシール部を除去してガセット袋を開封し、水その他の飲料を開封部から袋内に注入し患者に供給する（例えば、特許文献１参照。）。
【０００４】
【特許文献１】特開２００１−２１３４５１号公報
【発明の開示】
【発明が解決しようとする課題】
【０００５】
ガセット袋における前シート部とガセットシート部とが重なった前ガセット部と後シート部とガセットシート部とが重なった後ガセット部とには、隙間状の空室が形成されるが、内容物である液体はこれらの空室内にも流入している。そこで、ガセット袋の開封に際し、従来のように、前ガセット部における左右の切欠間を一本の直線上で引き裂いてヒートシール部の全体を除去するようにすると、内容物である液体が満たされている部分を切り裂くことになるので、中味の液体が袋外に飛散したり、垂れ落ちたりする場合がある。殊に、レトルト殺菌処理時におけるシートの焼け焦げ等を防止したり、内容物である液体を保護したりするためにガセット袋内からは空気が排除されているので、ヒートシール部を引き裂き始めると同時に液体が不意に飛び出してくるおそれがある。このような液体の飛散や垂れ落ちは周囲を汚染するので望ましくない。
【０００６】
従って、本発明は上記問題点を解決することができるガセット袋を提供することを目的とする。
【課題を解決するための手段】
【０００７】
上記課題を解決するため、請求項１に係る発明は、樹脂フィルム製の前後シート部（１，２）が重なり、前後シート部（１，２）間にそれらの一辺（３ａ）に沿うように樹脂フィルム製のガセットシート部（４）が二つ折り状態で挿入され、少なくとも上記一辺（３ａ）及びこの一辺（３ａ）を挟む両側辺（３ｂ，３ｃ）における前シート部（１）とガセットシート部（４）との間、後シート部（２）とガセットシート部（４）との間及び前シート部（１）と後シート部（２）との間が夫々ヒートシール部（５,６，７，８，９，１０，１１，１２）で接着されたガセット袋において、ガセットシート部（４）と前シート部（１）又は後シート部（２）は共にその延伸方向が上記一辺（３ａ）に沿って伸びるように形成され、前シート部（１）とガセットシート部（４）とが重なった前ガセット部（１３）又は後シート部（２）とガセットシート部（４）とが重なった後ガセット部（１４）における上記一辺（３ａ）に沿うヒートシール部（５，６）内に上記一辺（３ａ）に沿って線状に伸びる非ヒートシール部（１９）が形成され、ヒートシール部（５，６）の内縁からヒートシール部（５，６）と反対側に離れた箇所で上記一辺（３ａ）に沿って伸びる直線（２０）と上記非ヒートシール部（１９）との間が引き裂きジッパー部（２１）とされたガセット袋を採用する。
【０００８】
また、請求項２に係る発明は、請求項１に記載のガセット袋において、上記非ヒートシール部（１９）及び上記直線（２０）が上記両側辺（３ｂ，３ｃ）の一方又は双方と交差する箇所に切欠（２１ａ，２１ｂ）が形成されたガセット袋を採用する。
【０００９】
また、請求項３に係る発明は、請求項１又は請求項２に記載のガセット袋において、前ガセット部（１３）又は後ガセット部（１４）の非ヒートシール部（１９）上におけるガセットシート部（４）と前シート部（１）又は後シート部（２）とにミシン目（１９ａ）が形成されたガセット袋を採用する。
【００１０】
また、請求項４に係る発明は、請求項１乃至請求項３のいずれかに記載のガセット袋において、前後シート部（１，２）の上記一辺（３ａ）を除く他の所望の辺に注出口部（１５）が取り付けられたガセット袋を採用する。
【００１１】
また、請求項５に係る発明は、請求項１乃至請求項４のいずれかに記載のガセット袋において、前ガセット部（１３）が後ガセット部（１４）に接着されたガセット袋を採用する。
【００１２】
また、請求項６に係る発明は、請求項１乃至請求項５のいずれかに記載のガセット袋において、引き裂きジッパー部（２１）が除去された後の前ガセット部（１３）又は後ガセット部（１４）を上記一辺（３ａ）に沿って伸びる折れ線（２３）上で折り曲げたときにこの折り曲げ状態を絡み合いにより保持する絡合片（１３ａ，１４ａ）が前ガセット部（１３）と後ガセット部（１４）の上記両側辺（３ｂ，３ｃ）上に形成されたガセット袋を採用する。
【発明の効果】
【００１３】
請求項１に係る発明によれば、樹脂フィルム製の前後シート部（１，２）が重なり、前後シート部（１，２）間にそれらの一辺（３ａ）に沿うように樹脂フィルム製のガセットシート部（４）が二つ折り状態で挿入され、少なくとも上記一辺（３ａ）及びこの一辺（３ａ）を挟む両側辺（３ｂ，３ｃ）における前シート部（１）とガセットシート部（４）との間、後シート部（２）とガセットシート部（４）との間及び前シート部（１）と後シート部（２）との間が夫々ヒートシール部（５,６，７，８，９，１０，１１，１２）で接着されたガセット袋において、ガセットシート部（４）と前シート部（１）又は後シート部（２）は共にその延伸方向が上記一辺（３ａ）に沿って伸びるように形成され、前シート部（１）とガセットシート部（４）とが重なった前ガセット部（１３）又は後シート部（２）とガセットシート部（４）とが重なった後ガセット部（１４）における上記一辺（３ａ）に沿うヒートシール部（５，６）内に上記一辺（３ａ）に沿って線状に伸びる非ヒートシール部（１９）が形成され、ヒートシール部（５，６）の内縁からヒートシール部（５，６）と反対側に離れた箇所で上記一辺（３ａ）に沿って伸びる直線（２０）と上記非ヒートシール部（１９）との間が引き裂きジッパー部（２１）とされたガセット袋であるから、引き裂きジッパー部（２１）の端に指を掛けて引き裂きジッパー部（２１）の伸び方向に引っ張ると、引き裂きジッパー部（２１）がガセットシート部（４）と前シート部（１）又は後シート部（２）の延伸方向に沿って破断し除去され、ガセット袋が簡易かつ迅速に開封される。殊に、ガセット袋が液体の充填後に密封されている場合、前ガセット部（１３）又は後ガセット部（１４）内にも液体が入り込んでいるが、引き裂きジッパー部（２１）は前ガセット部（１３）又は後ガセット部（１４）の中間位置において帯状に引き裂かれるので、開口も滑らかに少しずつ開き、外部から徐々に空気が流入する。従って、空気が徐々に取り込まれることにより、袋が徐々に膨らみ、引き裂きジッパー部（２１）の引き裂き開始と同時に前ガセット部（１３）又は後ガセット部（１４）内の液体が前後シート部（１，２）間へと速やかにかつ円滑に流れ落ちるので、ガセット袋の開封時における液体の袋外への飛散、垂れ落ち等が防止される。
【００１４】
請求項２に係る発明によれば、請求項１に記載のガセット袋において、上記非ヒートシール部（１９）及び上記直線（２０）が上記両側辺（３ｂ，３ｃ）の一方又は双方と交差する箇所に切欠（２１ａ，２１ｂ）が形成されたガセット袋であるから、切欠（２１ａ，２１ｂ）によって引き裂きジッパー部（２１）の幅分を正確に画定することができ、簡易かつ迅速に引き裂きジッパー部（２１）を引き裂くことができる。
【００１５】
請求項３に係る発明によれば、請求項１又は請求項２に記載のガセット袋において、前ガセット部（１３）又は後ガセット部（１４）の非ヒートシール部（１９）上におけるガセットシート部（４）と前シート部（１）又は後シート部（２）とにミシン目（１９ａ）が形成されたガセット袋であるから、引き裂きジッパー部（２１）の引き裂き操作をより簡易に行うことができる。
【００１６】
請求項４に係る発明によれば、請求項１乃至請求項３のいずれかに記載のガセット袋において、前後シート部（１，２）の上記一辺（３ａ）を除く他の所望の辺に注出口部（１５）が取り付けられたガセット袋であるから、ガセット袋への液体の充填又はガセット袋からの液体の注出を簡易かつ迅速に行うことができる。
【００１７】
請求項５に係る発明によれば、請求項１乃至請求項４のいずれかに記載のガセット袋において、前ガセット部（１３）が後ガセット部（１４）に接着されたガセット袋であるから、ガセット袋を運搬、保管等する場合に嵩張らない。また、引き裂きジッパー部（２１）を除去した後の前ガセット部（１３）又は後ガセット部（１３）の残留物がガセット袋上に保持されるので、ガセット袋の廃棄処理が簡易化される。
【００１８】
請求項６に係る発明によれば、請求項１乃至請求項５のいずれかに記載のガセット袋において、引き裂きジッパー部（２１）が除去された後の前ガセット部（１３）又は後ガセット部（１４）を上記一辺（３ａ）に沿って伸びる折れ線（２３）上で折り曲げたときにこの折り曲げ状態を絡み合いにより保持する絡合片（１３ａ，１４ａ）が前ガセット部（１３）と後ガセット部（１４）の上記両側辺（３ｂ，３ｃ）上に形成されたガセット袋であるから、引き裂きジッパー部（２１）を除去してガセット袋を開封した後、この開封した前ガセット部又は後ガセット部を折り曲げて絡合片（１３ａ，１４ａ）を絡み合わせることによりガセット袋を再封することができる。
【発明を実施するための最良の形態】
【００１９】
以下、図面を参照して本発明を実施するための最良の形態について説明する。
【００２０】
図１、図２及び図３に示すように、このガセット袋は、樹脂フィルム製の前後シート部１，２が重ね合わされ、前後シート部１，２間にそれらの一辺３ａに沿うように二つ折りの樹脂フィルム製のガセットシート部４が挿入された上で、少なくとも上記一辺３ａ及びこの一辺３ａを挟む両側辺３ｂ，３ｃにおける前シート部１とガセットシート部４との間、後シート部２とガセットシート部４との間及び前シート部１と後シート部２との間が夫々ヒートシール部５，６，７，８，９，１０，１１で接着された構成を備える。
【００２１】
樹脂フィルムは、例えば積層フィルムであり、図示しないが外側に非ヒートシール材層が配置され、内側にヒートシール材層が配置され、中間にガスバリア材層が配置される。樹脂フィルムは望ましくは透明に形成される。
【００２２】
前後シート部１，２は上記樹脂フィルムを打ち抜いたり断裁したりすることにより例えば同形同大の略長方形に形成される。前後シート部１，２はヒートシール材層を内側にして重ね合わされる。ガセットシート部４は上記樹脂フィルムを打ち抜いたり断裁したりすることにより略長方形に形成される。ガセットシート部４は非ヒートシール材層を内側にして二つ折りされ、山折線４ａを先にして前後シート部１，２間にそれらの一辺に沿うように挿入される。このガセットシート部４の挿入により、前シート部１とガセットシート部４とが重なった箇所が前ガセット部１３とされ、後シート部２とガセットシート部４とが重なった箇所が後ガセット部１４とされる。
【００２３】
ヒートシール部５，６，７，８，９，１０，１１，１２は、ガセットシート部４を挟み込んだ状態の前後シート部１，２を図示しない加熱盤で熱プレスすることにより形成される。
【００２４】
ヒートシール部５，６，７，８，９，１０は、ガセット袋の上辺である一辺３ａと、ガセット袋の左右辺である両側辺３ｂ，３ｃの前後ガセット部１３，１４に対応する箇所とに形成される。このヒートシール部５，６，７，８，９，１０によって、ガセット袋の前後ガセット部１３，１４が閉じられる。ヒートシール部１１，１２は、ガセット袋の左右辺である両側辺３ｂ，３ｃの前後ガセット部１３，１４以外の箇所に形成される。このヒートシール部１１，１２によって、ガセット袋の左右が閉じられる。
【００２５】
図２に示すように、左右のヒートシール部７，８，９，１０，１１，１２は、夫々ガセット部と非ガセット部とに分かれているが、非ガセット部では二枚の樹脂フィルムが重なっているのに対し、ガセット部では四枚の樹脂フィルムが重なっているので、別個の加熱盤によってより幅広くかつ大きい加圧力によってヒートシールがなされている。
【００２６】
上述した三方がヒートシール部５，６，７，８，９，１０，１１，１２で閉じられ下辺が未シールの開放された状態のガセット袋に、この下辺の開口から内容物である液体を充填し、その後下辺をヒートシール部で閉じることも可能であるが、この実施の形態では、図１及び図２に示すように、下辺に注出口部１５がヒートシール部１６で前後シート部１，２に接着される。
【００２７】
注出口部１５は、公知の構造であるから詳しくは説明しないが、ガセット袋の内外間を導通する図示しない導通孔や、この導通孔を閉じるキャップ１５ａ等を備える。キャップ１５ａを外すと、導通孔が露出し、この導通孔を通してガセット袋内の液体を注出することができる。また、注出口部１５のキャップ１５ａを外すと、ガセット袋内に液体を充填することができる。
【００２８】
ガセット袋の前後のガセット部１３，１４は相互に分離しておいてもよいが、望ましくは図２及び図３（Ｂ）に示すように、前ガセット部１３が後ガセット部１４に接着され一体化される。これにより、例えばガセット袋を運搬、保管等する際に嵩張らないようにすることができる。また、運搬中に内容物が揺れることにより、ガセット部１３，１４が開いたり閉じたりして袋が傷められることがないようにすることができる。前ガセット部１３と後ガセット部１４との接合は、両者間に接着剤を塗布して行うことも可能であるが、この実施の形態では図１及び図３（Ｂ）に示すように、二つ折りのガセットシート部４に予め孔４ｂを開け、この孔４ｂを通して正対する前後シート部１，２のヒートシール材層同士をヒートシールすることにより行われる。
【００２９】
なお、上辺のヒートシール部５，６には前後のガセット部１３，１４を貫通する吊り下げ孔１７が穿設される。ガセット袋はこの吊り下げ孔１７に図５（ＩＩＩ）〜（Ｖ）に示すようなフック１８が通されることにより、所望の場所に吊り下げられ、中味の液体が注出される。
【００３０】
図１乃至図３に示すように、このガセット袋には易開封手段が設けられる。すなわち、前シート部１はガセットシート部４と共にその延伸方向が上辺である一辺３ａに沿って伸びるように形成され、前シート部１とガセットシート部４とが重なった前ガセット部１３における上記一辺３ａに沿ったヒートシール部５内にこの一辺３ａに沿って線状に伸びる非ヒートシール部１９が形成され、ヒートシール部５の内縁からヒートシール部と反対側に離れた箇所で上記一辺３ａに沿って伸びる二点鎖線で示された直線２０と上記非ヒートシール部１９との間が引き裂きジッパー部２１とされる。
【００３１】
また、上記非ヒートシール部１９及び上記直線２０が上記両側辺１１，１２と交差する箇所には切欠２１ａ，２１ｂが形成され、これら切欠２１ａ，２１ｂによって引き裂きジッパー部２１の幅分が画定される。切欠２１ａ，２１ｂは、前ガセット部１３のガセットシート部４及び前シート部１を厚さ方向に貫通するように細溝状に形成されるが、Ｖ溝状、半円状等所望の形状とすることが可能である。
【００３２】
前シート部１とガセットシート部４には上記積層フィルムが用いられるが、この積層フィルムの例えば外側の非ヒートシール材層が延伸フィルムで形成される。この延伸フィルムの延伸方向がガセット袋の上記両側辺１１，１２間すなわち左右方向に伸びるように、前シート部１とガセットシート部４が積層フィルムからそれぞれ切り出される。
【００３３】
非ヒートシール部１９は、上記一辺３ａに沿ったヒートシール部５をヒートシールする加熱盤に例えば帯状の溝を設けることにより形成される。これにより、ヒートシール部５内に、ヒートシールされない細い帯状の非ヒートシール部１９が形成される。前シート部１及びガセットシート部４の非ヒートシール部１９に沿った箇所では樹脂フィルムが溶けたり軟化したりすることなくその延伸性が維持される。また、非ヒートシール部１９は、図１に示すように、ヒートシール部５内に形成されることから、ガセット袋内の液体を溜める空室が非ヒートシール部１９に通じることはない。また、図１及び図３（Ａ）に示すように、上記直線２０の端に形成される切欠２１ａの周辺部も非ヒートシール域２２とされる。非ヒートシール域２２の延伸性を維持することにより、切欠２１ａが形成されない場合や、切欠が短い場合にも引き裂きジッパー部２１を引き裂きやすくすることができる。
【００３４】
帯状の非ヒートシール部１９上には、必要に応じて前ガセット部１３のガセットシート部４及び前シート部１をそれらの厚さ方向に貫通するミシン目１９ａが形成される。これにより、樹脂フィルムの引き裂き操作をより簡易に行うことができる。
【００３５】
上記二点鎖線で示す直線２０は、前シート部１及びガセットシート部４の各々を構成する樹脂フィルムの延伸方向と平行であることから、この直線２０上で前シート部１及びガセットシート部４の樹脂フィルムを容易に引き裂くことができる。そして、この直線２０はヒートシール部５の内縁からヒートシール部５と反対側に離れた箇所を通るので、引き裂きジッパー部２１を引き裂くと同時にガセット袋内が大気中に開放される。
【００３６】
図５（Ａ）（Ｂ）に示すように、切欠２１ａ，２１ｂで挟まれた引き裂きジッパー部２１の端を摘んで引き裂きジッパー部２１の伸び方向に引っ張ると、引き裂きジッパー部２１がガセットシート部４と前シート部１の延伸方向に沿って破断し除去され、ガセット袋が開封される。引き裂きジッパー部２１が前ガセット部１３から除去されることにより、前ガセット部１３に開口２５が形成される。
【００３７】
上記前ガセット部１３は、開封後に図４（ＩＶ）（Ｖ）に示すごとく処理をすることにより、再度封をすることができるが、この再封状態を維持するための係止手段がガセット袋に設けられる。すなわち、図１、図３（Ａ）及び図６に示すように、引き裂きジッパー部２１が除去された後の前ガセット部１３を上記一辺３ａに平行な折れ線２３上で折り曲げたときにこの折り曲げ状態を絡み合いにより保持する絡合片１３ａ，１４ａが前ガセット部１３と後ガセット部１４の左右両側辺３ｂ，３ｃ上に形成される。
【００３８】
絡合片１３ａ，１４ａは、前ガセット部１３と後ガセット部１４が重なった状態において上記折れ線２３がガセット袋の左右両側辺３ｂ，３ｃと交差する箇所に切れ線２４によって形成される。切れ線２４は前ガセット部１３及び後ガセット部１４を重ねておいて厚さ方向に貫通するように入れられ、このため前ガセット部１３と後ガセット部１４に同時に同形同大に形成される。図１及び図３（Ａ）に示すように絡合片１３ａ，１４ａはガセット袋の下方へ舌状に突出するように形成される。
【００３９】
図６に示すように、引き裂きジッパー部２１が除去された後の前ガセット部１３を折れ線２３上で後ガセット部１４側へと折り曲げると、前ガセット部１３側の絡合片１３ａは曲がることなく上方向に突出する。この状態では上方向に突出した絡合片１３ａが後ガセット部１４側の下方向に突出する絡合片１４ａに紙面側から重なり合っているが、この上方向に突出した絡合片１３ａを図６に示すように下方向に突出する絡合片１４ａの背後へと押し込むと、絡合片１３ａ，１４ａ同士の絡み合いが生じ、この前ガセット部１３の折り曲げ状態が保持され、ガセット袋の再封状態が維持される。
【００４０】
次に、上記構成のガセット袋の使用方法の一例について説明する。
【００４１】
（１）密封したガセット袋を図示しないレトルト殺菌装置内に入れて液体をガセット袋ごと加熱殺菌処理する。ガセット袋内からは空気が排除され、液体がガセット袋の樹脂フィルムの全面に接触していることから、レトルト殺菌処理時における樹脂フィルムの焼け焦げ等が防止される。
【００４２】
（２）ガセット袋から液体を注出するに際し、図４（Ｉ）の密封状態にあるガセット袋の引き裂きジッパー部２１を引き裂き、同図（ＩＩ）のように前ガセット部１３の箇所で開封する。より詳しくは、図５（Ａ）に示す上下の切欠２１ａ，２１ｂにより挟まれた引き裂きジッパー部２１の始端に指を掛けて終端側へ引っ張ると、同図（Ｂ）に示すように引き裂きジッパー部２１が非ヒートシール部１９及び直線２０上で破断し始める。
【００４３】
前シート部１及びガセットシート部４の樹脂フィルムの延伸方向は前ガセット部１３の上辺である一辺３ａに沿って伸びているので、引き裂きジッパー部２１は帯状になって円滑に引き裂かれる。
【００４４】
この場合、ガセット袋内から空気が排除されていることから、図５（Ａ）中、砂目で示すように、前ガセット部１３や後ガセット部１４の中にも液体が入り込んでいるが、引き裂きジッパー部２１は前ガセット部１３の中間位置において帯状に引き裂かれるので、開口が滑らかに少しずつ開くことになる。従って、引き裂きジッパー部２１の引き裂き開始と同時に同図（Ｂ）のごとく前ガセット部１３内の液体が前後シート部１，２間へと速やかにかつ円滑に流れ落ち、ガセット袋の開封時における液体の袋外への飛散、垂れ落ち等が防止される。
【００４５】
（３）図４（ＩＩＩ）に示すように、ガセット袋は開封後にスタンドのフック１８に吊り下げられる。そして、前ガセット部１３に形成された開口２５から希釈液等がガセット袋内に注入され、液体が希釈される。
【００４６】
（４）図４（ＩＶ）に示すように、前ガセット部１３を折り曲げてガセット袋を再度密封するべく、引き裂きジッパー部２１が除去された後の前ガセット部１３を上辺である一辺３ａに平行な折れ線２３上で後ガセット部１４側へと折り曲げる。
（５）図４（Ｖ）に示すように、前ガセット部１３の折り曲げ状態を保持するための操作を行う。
【００４７】
すなわち、図６に示すように、引き裂きジッパー部２１が除去された後の前ガセット部１３を折れ線２３上で後ガセット部１４側へと折り曲げると、前ガセット部１３側の絡合片１３ａが上方向に突出する。この状態では上方向に突出した絡合片１３ａが後ガセット部１４側の下方向に突出する絡合片１４ａに紙面側から重なり合っているが、この上方向に突出した絡合片１３ａを下方向に突出する絡合片１４ａの背後へと押し込むと、絡合片１３ａ，１４ａ同士の絡み合いが生じ、この前ガセット部１３の折り曲げ状態が保持され、ガセット袋の再封状態が維持される。
【００４８】
（６）図示しないが、注出口部１５のキャップ１５ａを外して導通孔にチューブを連結し、希釈された液体をガセット袋外に注出し、患者等に供給する。
【００４９】
その他、ガセット袋を開封することなく図４（Ｉ）の状態のまま同図（ＩＩＩ）のごとくフック１８で吊り下げて液体を注出し、その後同図（ＩＩ）のごとく開封し、水、茶等の飲料をガセット袋内に充填し、同図（ＩＶ）（Ｖ）のごとく再封した後に飲料を患者に供給するようにしてもよい。
【００５０】
ここで、上記構成のガセット袋の製造方法の一例について説明する。
【００５１】
（１）図示しない樹脂フィルムの巻取ロールから樹脂フィルムを繰り出しつつ、ガセット部１３，１４の接合用孔４ｂをパンチング等により穿設する。
【００５２】
（２）図７に示すように、樹脂フィルムを一方向に走行させながら、前後のシート部１，２間にガセットシート部４を二つ折りで折り込こんで行く。その際、ガイド板、ガイドローラ、ニップローラ等が使用されるが、それらの図示は省略する。
【００５３】
（３）折り込まれた樹脂フィルムを一つのガセット袋の幅寸法を一ピッチとして一ピッチごとに間欠走行させながら、図示しない加熱盤で熱プレスし、ヒートシール部５，６，７，８，９，１０，１１，１２，１６を形成する。
【００５４】
（４）ヒートシール部１６を形成する前に注出口部１５を前後シート部１，２間に挿入し、ヒートシール部１６の形成と同時に注出口部１５を前後シート部１，２に固着する。
【００５５】
（５）ヒートシール部５，６には、吊り下げ孔１７を穿設する。
【００５６】
（６）図７に示すように、ヒートシール部７，８，９，１０，１１，１２は、隣り合うガセット袋同士間で連続するように形成するが、ヒートシール部１１，１２はヒートシール部７，８，９，１０よりも一ピッチ分だけ下流側で形成する。
【００５７】
（７）樹脂フィルムの前後のシート部１，２間には、内容物の供給パイプ２６が入り込み、その先端の充填ノズル２６ａがヒートシール部１１，１２に臨んでおり、このヒートシール部１１，１２に向って所定量の内容物を吐出する。
【００５８】
（８）内容物が充填されたガセット袋の部分とこれに隣接するガセット袋との境界部に対し、ヒートシール部１１，１２を形成する。
【００５９】
（９）ヒートシール部１１，１２をそれらの中心線上で切断する。これにより、内容物が充填された一つのガセット袋が完成する。
【００６０】
（１０）以後、上記（１）〜（９）の工程が繰り返され、内容物が定量充填されたガセット袋が順次製造される。
【００６１】
なお、本発明は上記実施の形態に限定されるものではなく適宜変更可能であり、例えば上記実施の形態では易開封手段を前ガセット部に設けたが、後ガセット部に設けることも可能であり、また双方に設けることも可能である。また、切欠をガセット袋の左右両側辺に形成したが、左又は右のいずれか一方にのみ形成することも可能である。また、各シートを構成する樹脂フィルムは内層に金属箔層を有した不透明フィルムとすることも可能である。また、ガセット袋の輪郭を略長方形としたが、その他の多角形とすることもでき、一部を円弧とすることもできる。また、切欠はガセット袋の左右辺のいずれか一方にのみ形成することも可能である。また、前後シート部とガセットシート部とが一枚の樹脂フィルムからできたものとして示したが、別体で形成された各シート部をヒートシールすることによってもガセット袋を構成することができる。
【図面の簡単な説明】
【００６２】
【図１】本発明に係るガセット袋の一実施形態を示す正面図である。
【図２】図１に示すガセット袋の左側面図である。
【図３】図１及び図２に示すガセット袋の要部の拡大図である。
【図４】図１及び図２に示すガセット袋の使用方法の一例の説明図である。
【図５】図１及び図２に示すガセット袋を開封する状態を示す部分切欠斜視図である。
【図６】図１及び図２に示すガセット袋の絡合片の絡み合い状態を示す図４中ＶＩ部分の拡大図である。
【図７】図１及び図２に示すガセット袋の製造方法の一例を示す斜視図である。
【符号の説明】
【００６３】
１…前シート部
２…後シート部
３ａ…一辺
３ｂ，３ｃ…両側辺
４…ガセットシート部
５，６，７，８，９，１０，１１，１２…ヒートシール部
１３…前ガセット部
１４…後ガセット部
１３ａ，１４ａ…絡合片
１５…注出口部
１９…非ヒートシール部
１９ａ…ミシン目
２０…直線
２１…引き裂きジッパー部
２１ａ，２１ｂ…切欠
２３…折れ線
【図１】
2006264763.tif 000003
【図２】
2006264763.tif 000004
【図３】
2006264763.tif 000005
【図４】
2006264763.tif 000006
【図５】
2006264763.tif 000007
【図６】
2006264763.tif 000008
【図７】
2006264763.tif 000009